(57)【要約】      （修正有）【課題】ロッカー用の鍵などの小物を衣服の胸ポケットの内側に保持することができるリール式カードホルダを提供する。【解決手段】リール式カードホルダ１００は、リール部と伸縮自在のストラップ部とを有するものである。ストラップ部は、ＩＤカード２１を装着するための結合具と紐状ストラップ１３とを有しており、紐状ストラップ１３はリール部内に巻き取り収納が可能である。リール部には、引出口９と衣服の胸ポケットに固定されるための板バネ式のクリップ５を有している。板バネ式のクリップ５の下部の反り返り部分には、ロッカー用の鍵などの小物を装着するための小物装着用孔７を形成する。【選択図】図２
0003183261.tif 000002
【実用新案登録請求の範囲】
【請求項１】
ＩＤカードと結合されて使用されるリール式カードホルダであって、
前記リール式カードホルダは、
リール部とストラップ部とを有するものであり、
前記ストラップ部は、
前記ＩＤカードと結合される結合具と紐状ストラップとを有するものであり、
該紐状ストラップは、
前記リール部に巻き取り収納が可能なものであり、
該リール部は、
衣服の胸ポケットに固定されるクリップを有するものであり、
該クリップには、
小物装着用孔が形成されている
ことを特徴とするリール式カードホルダ。
【請求項２】
前記小物装着用孔は、
前記クリップに突起部が形成され、該突起部が穿孔されて形成されたものである
ことを特徴とする請求項１記載のリール式カードホルダ。
【請求項３】
前記小物装着用孔は、
前記クリップの下端部を、チューブ状に折り曲げて形成されたものである
ことを特徴とする請求項１記載のリール式カードホルダ。
【請求項４】
前記クリップは、
板バネ式のものであり、
前記小物装着用孔は、
前記クリップの下部の反り返り部に設けられている
ことを特徴とする請求項１記載のリール式カードホルダ。
【請求項５】
前記クリップは、
板バネ式のものであり、
前記小物装着用孔は、
前記クリップの下端部を、チューブ状に折り曲げて形成されたものである
ことを特徴とする請求項１記載のリール式カードホルダ。
【考案の詳細な説明】
【技術分野】
【０００１】
本考案は、身分証明書（以下、単にＩＤカードと呼ぶ。）と結合されて使用される伸縮自在のストラップを有するリール式カードホルダに関するものである。
【背景技術】
【０００２】
近年、ＩＤカードは、その内部にＩＣ回路が組み込まれており、建物への出入りを管理するためのセキュリティ・チェックや事務所内でのコピー機の使用状況の把握、さらには社員食堂での飲食代の清算などにも使用されている。
【０００３】
これらのＩＤカード２１は、そのままの状態で、又は、前面が透明のカードケース２３などに入れられた状態で、リール式カードホルダ１００を用いて胸ポケット２９に固定したり、ネック用の紐２６を付けて首からぶら下げたりして使用をするのが一般的である（図５）。
【０００４】
ＩＤカード２１を使用する機器の多くは、ＩＤカード２１を情報読取装置に接近させないとＩＣ回路の情報が読み取れないという問題点がある。すなわち、ＩＤカード２１の使用者は、使用をするたびごとに身をかがめたり、カードケースからＩＤカード２１を取り出したりして、それを情報読取装置に接近させて情報を読み込ませる必要があり、この作業は使用者にとっては極めて煩わしいものであった。
【０００５】
そこで、ＩＤカード２１に使用されるストラップとして、内部に渦巻きバネなどを使用した伸縮自在のストラップを有するリール式のカードホルダが提供されている（特許文献１〜特許文献５）。
【０００６】
これらのリール式のカードホルダを使用する際には、リール内の渦巻きバネの巻戻し力よりも強い力でＩＤカード２１などを引っ張り、リール内に巻回されている紐状をしたストラップの部分を引っ張り出すことによって、ＩＤカード２１などを情報読取装置に接近させることができる。
【０００７】
したがって、リール式のカードホルダを用いることによって、ＩＤカード２１の使用者は身をかがめたり、カードケース２３からＩＤカード２１を取り出したりして、それを情報読取装置に接近させてその情報を読み込ませる必要がない。
【０００８】
一方、ＩＤカード２１の使用後は、ＩＤカード２１を引っ張っている力を弱めれば、渦巻きバネの巻戻し作用によって、紐状をしたストラップがリール内に自動的に巻戻されて収納されるのでコンパクトで便利なものである。
【先行技術文献】
【特許文献】
【０００９】
【特許文献１】特開２００６−０４３２４２号公報
【特許文献２】特開２００８−２６４２９６号公報
【特許文献３】実用新案登録第３０４９２０２号公報
【特許文献４】実用新案登録第３０５４６８２号公報
【特許文献５】実用新案登録第３０６８８４０号公報
【考案の概要】
【考案が解決しようとする課題】
【００１０】
しかしながら、上述した従来のリール式カードホルダには、ロッカー用の鍵などの小物を引っ掛ける部分がなかった。したがって、ロッカー用の鍵などの小物は、別途、キーホルダーを使用したり、財布の中に入れたりするなどの工夫が必要になっており、その取扱いが煩わしいものであった。
【００１１】
本考案は、ロッカー用の鍵２７などの小物を衣服の胸ポケット２９の内側に保持することができ、伸縮自在のストラップを有するリール式カードホルダ１００の提供を目的としている。
【課題を解決するための手段】
【００１２】
本考案は、上述したような従来から使用されているリール式のカードホルダの問題点を解決するものである。
【００１３】
請求項１に記載された考案は、
ＩＤカードと結合されて使用されるリール式カードホルダであって、
前記リール式カードホルダは、
リール部とストラップ部とを有するものであり、
前記ストラップ部は、
前記ＩＤカードと結合される結合具と紐状ストラップとを有するものであり、
該紐状ストラップは、
前記リール部に巻き取り収納が可能なものであり、
該リール部は、
衣服の胸ポケットに固定されるクリップを有するものであり、
該クリップには、
小物装着用孔が形成されている
ことを特徴としている。
【００１４】
請求項１に記載の考案によると、リール式のカードホルダを用いるので、ＩＤカード２１の使用者は、身をかがめたり、カードケースからＩＤカードを取り出したりして、それを情報読取装置に接近させて情報を読み込ませる必要がない。また、ＩＤカード２１の使用後は、ＩＤカードを引っ張っている力を弱めれば、渦巻きバネの巻戻し作用によって、紐状をしたストラップがリール内に自動的に巻戻されて収納されるのでコンパクトで便利なものである。
【００１５】
また、本考案に係わるリール式カードホルダは、鍵などの小物を衣服のポケットの内側に保持することができるので外部から見えることもない。また、何らかの理由でクリップから鍵などの小物が外れたりしたような場合でも、ポケットの内部に落下してそのまま保持されるので鍵などの小物が紛失をすることもない。
【００１６】
請求項２に記載した考案は、請求項１に記載のリール式カードホルダであって、
前記小物装着用孔は、
前記クリップに突起部が形成され、該突起部が穿孔されて形成されたものである
ことを特徴としている。
【００１７】
請求項３に記載した考案は、請求項１に記載のリール式カードホルダであって、
前記小物装着用孔は、
前記クリップの下端部を、チューブ状に折り曲げて形成されたものである
ことを特徴としている。
【００１８】
請求項２又は請求項３に記載の考案によると、様々な形状をしたクリップに小物装着用孔を形成することができる。
【００１９】
請求項４に記載の考案は、請求項１に記載のリール式カードホルダであって、
前記クリップは、
板バネ式のものであり、
前記小物装着用孔は、
前記クリップの反り返り部に設けられている
ことを特徴としている。
【００２０】
請求項４に記載の考案によると、板バネ式のクリップ下部の反り返り部分に小物装着用孔を設けることによって、リングなどの取り付けが容易になり使いやすくすることができる。
【００２１】
請求項５に記載の考案は、請求項１に記載のリール式カードホルダであって、
前記クリップは、
板バネ式のものであり、
前記小物装着用孔は、
前記クリップの下端部を、チューブ状に折り曲げて形成されたものである
ことを特徴としている。
【００２２】
請求項５に記載の考案によると、板バネ式のクリップに比較的安価な手段で小物装着用孔を形成することができる。
【考案の効果】
【００２３】
本考案によるリール式カードホルダは、衣服の胸ポケットに固定するためのクリップの部分に小物装着用孔を設けるようにした。クリップの部分に小物装着用孔を設けることによって、ロッカー用の鍵などの小物が胸ポケットの内側に維持されるので外から見えることがない。
【００２４】
また、何らかの理由で鍵などの小物がクリップから外れたりしたような場合でも、それらの小物は胸ポケットの内側に落下してそのまま保持されるので、鍵などの小物が紛失をすることもない。
【図面の簡単な説明】
【００２５】
【図１】リール式カードホルダの概略図である。
【００２６】
（ａ）紐状ストラップを引っ張り出した正面斜視図である。
【００２７】
（ｂ）紐状ストラップを引っ張り出した背面斜視図である。
【図２】小物装着用孔を有するリール式カードホルダの背面斜視図である。
【図３】リール本体をクリップで胸ポケットに固定した状態の概略図である。
【図４】小物装着用孔の変形例である。
【００２８】
（ａ）クリップに突起部を設けて小物装着用孔を形成。
【００２９】
（ｂ）クリップの下端部をチューブ状に折り曲げて小物装着用孔を形成。
【図５】ネック用の紐を用いてリール式カードホルダを首から吊り下げた状態図である。
【考案を実施するための形態】
【００３０】
以下において、本考案に係わるストラップの部分が伸縮自在な構造をしたリール式カードホルダ１００の実施の形態について図１〜図５を用いて詳細に説明する。
【００３１】
このリール式カードホルダ１００は、ＩＤカード２１と直接的に、又は、ＩＤカード２１の入ったカードケース２３を介して結合フック１５などで結合されて使用されるものである（図１、図５）。
【００３２】
例えば、ＩＤカード２１自体の上部に結合用孔２５を有しており、カードケース２３が必要とされないような場合もある。このような場合には、リール式カードホルダ１００とＩＤカード２１とが結合具１４によって直接的に結合される。なお、図１などでは、ＩＤカード２１がカードケース２３内に装着されている一実施例が図示されている。
１．リール式カードホルダ１００
リール式カードホルダ１００は、主にリール部１とストラップ部１１とで構成されている（図１）。このリール式カードホルダ１００は、紐状ストラップ１３をリール部１に巻き取って収納した状態で、上着やシャツなどの衣服の胸ポケット２９にクリップ５などで固定して使用をしたり（図３）、ネック用の紐２６などを係止具３の部分で固定して首から吊り下げて使用をしたりすることができる（図５）。
２．リール部１
リール部１は、図示されていない渦巻きバネが内臓されているリール本体２と、その上方にはネック用の紐２６などを固定するための孔部を有する係止具３と、その裏側には上着やシャツなど衣服の胸ポケット２９に固定するためのクリップ５と、紐状ストラップ１３を引き出すための引出口９などを有するものである（図１（ａ）、（ｂ））。
【００３３】
なお、渦巻きバネが内臓されているリール本体２は、巻尺やコードリールなどにおいて一般的に使用されている技術を使用している。すなわち、渦巻きバネの巻戻し力よりも強い力で結合フック１５の部分を引っ張ることによって、リール内に巻回されている紐状ストラップ１３を引出口９から引き出すことができる。
【００３４】
一方、結合フック１５から手を放せば、渦巻きバネに蓄積されたエネルギーによって紐状ストラップ１３の部分はリール内に巻戻されるものである。なお、この紐状ストラップ１３の部分を伸縮自在にする技術は、一般的に使用されている技術なので詳細な説明は省略する。
【００３５】
そして、渦巻きバネの巻戻し力よりも強い力でＩＤカード２１などを引っ張り、リール内に巻回されている紐状ストラップ１３の部分を引き出すことによって、ＩＤカード２１などを情報読取装置に接近させることができる。したがって、ＩＤカード２１の使用者は、カードケース２３からＩＤカード２１を取り出したり、身をかがめたりして情報読取装置に接近させて、その情報を読み込ませる必要がない。
【００３６】
一方、ＩＤカード２１の使用後は、ＩＤカード２１を引っ張っている力を弱めれば、渦巻きバネの巻戻し作用によって紐状ストラップ１３がリール内に巻戻されて収納される。なお、リール部１に、巻尺やコードリールなどにおいて一般的に用いられているようなストッパ機能（または、ラッチ機能とも呼ばれている。）やその解除機能を設けることもできる。
３．クリップ５
本考案に係わるリール式カードホルダ１００は、リール部１の裏面にクリップ５を設置して、衣服の胸ポケット２９の部分に挟んで固定できるようにした（図１（ｂ）、図２、図３）。
【００３７】
このクリップ５としては、例えば、弾力性がある板バネ式のものや（図１（ｂ））、図示されていない弦巻バネを有するワニ口式のものなどを用いることができる。本実施例では、板バネを用いるクリップ５の例を示しており（図１（ｂ）、図２）、リール本体２の裏面に設置されている。
【００３８】
本実施例では、板バネを用いたクリップ５の下部の反り返り部分に、ロッカー用の鍵２７などの小物をリング８などを介して装着するための小物装着用孔７を設けるようにした（図２、図３）。板バネ式のクリップ５の下部の反り返り部分に小物装着用孔７を設けることによって、リング８などの取り付けが容易になり使いやすくすることができる。
【００３９】
クリップ５の部分に小物装着用孔７を設けることによって、鍵２７などの小物が胸ポケット２９の内側に保持されるので外部から見えることがない（図３）。また、何らかの理由でクリップ５から鍵２７などの小物が外れたような場合でも、鍵２７などの小物は胸ポケット２９の内部に落下してそのまま保持されるので紛失をすることもない。
【００４０】
図２及び図３では、クリップ５の下部の反り返り部分に小物装着用孔７を穿孔した例を示しているが、クリップ５の中央部に樹脂製または金属製などの突起部１０を形成し、その突起部１０を穿孔して小物装着用孔７を形成したり（図４（ａ））、板バネ式のクリップ５の下端部を折り曲げてチューブ状にしたりして（図４（ｂ））、小物装着用孔７を形成することもできる。
【００４１】
これらの手段を用いることによって、様々な形状をしたクリップ５に小物装着用孔７を形成することができる。また、クリップ５の下端部をチューブ状に折り曲げて小物装着用孔７を形成することによって、その製造が容易となりコスト低減をすることができる。
４．ストラップ部１１
ストラップ部１１は、ＩＤカード２１やカードケース２３などの結合用孔２５と結合させるための結合具１４、例えば、結合フック１５と紐状ストラップ１３とを有するものである（ただし、図１等ではＩＤカード２１がカードケース２３内に装着されている状態が図示されている。）。
【００４２】
結合フック１５の部分を下方向に引っ張ることによって、リール本体２内に巻回されている紐状ストラップ１３を引出口９から引き出すことができる。図１では、結合フック１５として「？字状（ハテナ）」のものを用いた例を示しているが、この他にも鉤状のものなど多様な形状をした結合フック１５を用いることができる。
【００４３】
伸縮自在の紐状ストラップ１３は、通常は上述したリール本体２の内部に巻回されて収納されており（図７）、結合フック１５の部分を指で摘まんで、矢印方向に引っ張ることによってリール本体２から引き出すことができる（図１（ａ）、（ｂ））。
【産業上の利用可能性】
【００４４】
本考案に係わるリール式カードホルダは、ＩＤカード又はＩＤカードが装着されているカードケースを、クリップなどで胸ポケットなどに固定したり、ネック用の紐などで首から吊り下げたりするものに利用をすることができる。
【符号の説明】
【００４５】
１    リール部
２    リール本体
３    係止具
５    クリップ
７    小物装着用孔
８    リング
９    引出口
１０    突起部
１１    ストラップ部
１３    紐状ストラップ
１４    結合具
１５    結合フック
２１    ＩＤカード
２３    カードケース
２５    結合用孔
２６    ネック用の紐
２７    鍵
２９    胸ポケット
１００  リール式カードホルダ
【図１】
0003183261.tif 000003
【図２】
0003183261.tif 000004
【図３】
0003183261.tif 000005
【図４】
0003183261.tif 000006
【図５】
0003183261.tif 000007